(57)【要約】【課題】  一部分にフレキシブルパイプを含む支柱によりマイクロホンユニットを支持してなるグースネック型のマイクロホン装置において、フレキシブルパイプの連結部分で導電抵抗が低く長期にわたって安定した導通が確保できるとともに、フレキシブルパイプの連結部分で振動が緩衝されるようにする。【解決手段】  フレキシブルパイプ２１の端部２１ａを口金３１を介して支持パイプ２２に連結するにあたって、その連結部分に導電性およびバネ的な弾性復元力を有する金属材よりなるスペーサ４０（例えば金属の網シート４１）を介在させるとともに、硬化後においても弾性を発揮する弾性接着材により接合する。【選択図】  図１
2005204114.tif 000002
【特許請求の範囲】
【請求項１】
一部分に口金を介してフレキシブルパイプが連結されているとともに、その全体が導通している支柱と、上記支柱の先端に取り付けられるマイクロホンユニットとを含み、上記マイクロホンユニットが上記支柱を介してテーブルなどの設置台上に支持され、かつ、上記マイクロホンユニットに接続される電気ケーブルが上記支柱内に挿通されているグースネック型のマイクロホン装置において、
上記フレキシブルパイプの端部が上記口金内に導電性およびバネ的な弾性復元力を有する金属材よりなるスペーサを介して嵌合され、かつ、上記フレキシブルパイプと上記口金とが硬化後においても弾性を発揮する弾性接着材により接合されていることを特徴とするマイクロホン装置。
【請求項２】
上記スペーサが金属線材の網シートからなることを特徴とする請求項１に記載のマイクロホン装置。
【請求項３】
上記金属線材の網シートが上記フレキシブルパイプの端部の外周に沿って配置される円筒状に形成されていることを特徴とする請求項２に記載のマイクロホン装置。
【請求項４】
上記円筒状に形成された上記金属線材の網シートには凹凸が付与されていることを特徴とする請求項３に記載のマイクロホン装置。
【請求項５】
上記スペーサが板バネ材よりなり、上記フレキシブルパイプの端部外周に嵌合される円筒状のキャップ部と、上記口金内に弾性的に接触するように上記キャップ部の一端側に連設された接触片とを備えていることを特徴とする請求項１に記載のマイクロホン装置。
【発明の詳細な説明】
【技術分野】
【０００１】
本発明は、会議場などにおいて卓上に設置されるマイクロホン装置に関し、さらに詳しく言えば、マイクロホンユニットが一部にフレキシブルパイプを含む支柱によって支持されているグースネック型のマイクロホン装置に関するものである。
【背景技術】
【０００２】
マイクロホン装置は、音楽用や会議用，それにテレビカメラ用など用途によって使い分けられるが、会議場などで用いられるマイクロホン装置のひとつにグースネック型のマイクロホン装置がある。図４にその一例を示す。
【０００３】
これによると、グースネック型のマイクロホン装置では、マイクロホンユニット１０がフレキシブルパイプ２１と金属製の支持パイプ２２とを含む支柱２０を介して卓上に設置され、フレキシブルパイプ２１の屈曲自在性によりマイクロホンユニット１０を音源（話者）に対して適切な位置に調整することができる。
【０００４】
この例において、マイクロホンユニット１０は支持パイプ２２の先端に保持され、フレキシブルパイプ２１はその支持パイプ２２と図示しない卓上に固定される台座に回転可能に支持される回転台２３との間に介装されているが、その配置を入れ替えて、フレキシブルパイプ２１の先端でマイクロホンユニット１０を保持し、フレキシブルパイプ２１と回転台２３との間に支持パイプ２２を介装するものもある。
【０００５】
また、特許文献１に記載されているように支持パイプ２２の両端にフレキシブルパイプ２１を接続したグースネック型のマイクロホン装置もある。さらには、回転台２３を介することなくフレキシブルパイプ２１もしくは支持パイプ２２の下端側を上記台座に差し込んで固定するものもある。
【０００６】
フレキシブルパイプ２１はよく知られているように、鋼などの丸線材で復元力を担うコイルバネを形成し、その上から各コイルバネの隙間に断面三角形状で甦生変形する銅合金などからなる三角線材を挟み込むことにより作製され、丸線材と三角線材とが強い摩擦をもつことから任意の位置に変形可能で、かつ、その変形状態を自己保持する。
【０００７】
フレキシブルパイプ２１は設計図にしたがった長さに切断され、支持パイプ２２とはスリーブ状の口金３１を介して連結され、また、回転台２３にはフレキシブルパイプ２１の端部を差し込んで連結するための口金（ソケット）３２が設けられている。
【０００８】
フレキシブルパイプ２１を切断すると巻が戻ってその端部が広がる。その広がり量は巻戻り量に比例するが巻戻り量が一定でないことから、口金３１，３２の内径は余裕を見て大きく設計される。
【０００９】
したがって、フレキシブルパイプ２１の端部を口金３１，３２内に差し込むと大きな隙間が生ずるため、この隙間を埋めてフレキシブルパイプ２１を支持パイプ２２と回転台２３に対して電気的・機械的に接続する必要がある。
【００１０】
すなわち、支柱２０内にはマイクロホンユニット１０に接続される図示しない電気ケーブルが挿通されるため、支柱２０の全体にわたってシールドされていないと静電的な結合により外部からの雑音が電気ケーブルに入り込むおそれがある。
【００１１】
とりわけ、コンデンサマイクロホンの場合には、上記電気ケーブルとして電源線と不平衡の信号線が挿通されることから、支柱２０の全体にわたってシールドされていないと電磁波の侵入により雑音が発生することがある。
【００１２】
そこで、従来においては、フレキシブルパイプ２１の端部と口金３１，３２との間に導電性接着材を充填して電気的な接続を確保し、これとは別に例えばエポキシ系の接着材を用いて機械的接続強度を得るようにしている。
【００１３】
【特許文献１】実開平５−９７１９１号
【発明の開示】
【発明が解決しようとする課題】
【００１４】
しかしながら、導電性接着材には銀などの金属粉が練り込まれているため、硬化後に変位するとその電気抵抗値が変化して雑音を発生することがある。また、導電性接着材は硬化するときわめて硬く衝撃などに対して脆いという性質がある。
【００１５】
この脆さを補うために、上記したように接着強度の高いエポキシ系の接着材が用いられるのであるが、接着強度が高いがゆえに次のような問題がある。すなわち、テーブル上に設置して使用される場合、そのテーブルに加えられた振動が支柱２０を介してマイクロホンユニット１０に伝播されやすくなる。この振動雑音は、フレキシブルパイプ２１と口金３１，３２の接続部を強固にすればするほど機械的結合が密になるので増加する。
【００１６】
したがって、本発明の課題は、一部分に口金を介してフレキシブルパイプが連結されている支柱によりマイクロホンユニットを支持してなるグースネック型のマイクロホン装置において、フレキシブルパイプの連結部分で導電抵抗が低く長期にわたって安定した導通が確保できるとともに、フレキシブルパイプの連結部分で振動が緩衝されるようにすることにある。
【課題を解決するための手段】
【００１７】
上記課題を解決するため、本発明は、一部分に口金を介してフレキシブルパイプが連結されているとともに、その全体が導通している支柱と、上記支柱の先端に取り付けられるマイクロホンユニットとを含み、上記マイクロホンユニットが上記支柱を介してテーブルなどの設置台上に支持され、かつ、上記マイクロホンユニットに接続される電気ケーブルが上記支柱内に挿通されているグースネック型のマイクロホン装置において、上記フレキシブルパイプの端部が上記口金内に導電性およびバネ的な弾性復元力を有する金属材よりなるスペーサを介して嵌合され、かつ、上記フレキシブルパイプと上記口金とが硬化後においても弾性を発揮する弾性接着材により接合されていることを特徴としている。
【００１８】
本発明において、上記スペーサが金属線材の網シートからなることが好ましい。より好ましくは上記金属線材の網シートが上記フレキシブルパイプの端部の外周に沿って配置される円筒状に形成され、さらには上記円筒状に形成された上記金属線材の網シートには凹凸が付与されていることが好ましい。
【００１９】
また、上記スペーサが板バネ材よりなり、上記フレキシブルパイプの端部外周に嵌合される円筒状のキャップ部と、上記口金内に弾性的に接触するように上記キャップ部の一端側に連設された接触片とを備えている態様も本発明に含まれる。
【発明の効果】
【００２０】
本発明によれば、フレキシブルパイプと口金とが導電性およびバネ的な弾性復元力を有する金属材よりなるスペーサを介して電気的に接続され、導電性接着材に頼っていないことから、導電抵抗値が低く長期にわたって安定した導通が確保される。
【００２１】
また、フレキシブルパイプと口金との機械的連結手段として、硬化後においても弾性を発揮する弾性接着材を用いたことにより、その連結部分でマイクロホンユニットに対するショックマウント効果が発揮され振動雑音を低減することができる。
【００２２】
また、上記スペーサとして金属線材の網シートを用いることにより、フレキシブルパイプと口金との間の隙間を埋めやすくなるとともに、接着材が網シートの中に入り込むため接着性も向上する。さらには、用いる接着材が１種類でよいため組立作業性も改善することができる。
【発明を実施するための最良の形態】
【００２３】
次に、図１ないし図３により本発明の実施形態について説明するが、本発明はこれに限定されるものではない。なお、先の図４で説明した従来例と同一もしくは同一と見なされてよい構成要素所にはそれと同じ参照符号を用いている。
【００２４】
図１に本発明のマイクロホン装置が要部として備える支柱２０Ａを分解して示す。この例において、支柱２０Ａにはフレキシブルパイプ２１，支持パイプ２２および回転台２３が含まれている。その連結順は上から支持パイプ２２→フレキシブルパイプ２１→回転台２３の順であるが、フレキシブルパイプ２１→支持パイプ２２→回転台２３の順であってもよい。
【００２５】
フレキシブルパイプ２１は先の従来例で説明した構成で市販されているものであってよい。図示されていないが、支持パイプ２２の先端には先の図４に示したようにマイクロホンユニット１０が装着され、支柱２０Ａ内にはマイクロホンユニット１０に接続される電気ケーブルが挿通される。
【００２６】
フレキシブルパイプ２１と支持パイプ２２は、スリーブ状の口金３１を介して連結され、フレキシブルパイプ２１と回転台２３は、回転台２３に形成されているソケット状の口金３２を介して連結される。なおこの例において、支持パイプ２２と口金３１は圧入により一体的に連結されているが、場合によっては口金３１を支持パイプ２２に対して一体に形成してもよい。
【００２７】
また、回転台２３は図示しない卓上に固定される台座に垂直回転軸線を中心として回転可能に支持されるが、回転台２３がない機種では上記台座にソケット状の口金３２が設けられ、その口金３２にフレキシブルパイプ２１の下端が差し込まれることになる。
【００２８】
口金３１，３２の内径は、フレキシブルパイプ２１の端部の径よりも大径に形成されるが、フレキシブルパイプ２１については所定の長さに切断したのち、その両端２１ａ，２１ｂを転造によって圧縮し、巻の緩みによる直径の増加を抑えておくことが好ましい。
【００２９】
フレキシブルパイプ２１の両端２１ａ，２１ｂを口金３１，３２内に差し込んで支持パイプ２２と回転台２３とに連結するにあたって、本発明では、導電性およびバネ的な弾性復元力を有する金属材よりなるスペーサ４０と、硬化後においても弾性を発揮する図示しない接着材（弾性接着材）とを用いる。
【００３０】
図１の例では、スペーサ４０として例えばステンレスなどの金属線材からなる網シート（メッシュシート）４１をフレキシブルパイプ２１の端部に嵌合する円筒状としたものを用いている。この円筒状に形成された網シート４１の図１におけるＡ−Ａ線断面を図２に拡大して示す。この網シート４１はフレキシブルパイプ２１の両端部２１ａ，２１ｂの２箇所に取り付けられるが、その構成は同じであってよい。
【００３１】
図２に示すように、網シート４１には波状の凹凸が付与されていることが好ましく、この凹凸により網シート４１はフレキシブルパイプ２１の端部と口金３１，３２との間において導電性スプリングとして作用する。なお、網シート４１をあらかじめ円筒状に形成することなく、フレキシブルパイプ２１の端部に巻き付けて口金３１，３２内に嵌合するようにしてもよい。
【００３２】
いずれにしても、フレキシブルパイプ２１の両端部２１ａ，２１ｂに網シート４１を取り付けて口金３１，３２内にはめ込む際、網シート４１に上記弾性接着材を付着させておくことが好ましい。
【００３３】
これによれば、網シート４１を介してフレキシブルパイプ２１と口金３１，３２（支持パイプ２２，回転台２３）との電気的な導通が確実に確保されるとともに、上記弾性接着材が網シート４１に保持され、フレキシブルパイプ２１と口金３１，３２との間に振動吸収能を有する緩衝帯（ショックマウント）が形成される。また、フレキシブルパイプ２１と口金３１，３２との間の隙間がある程度大きくても網シート４１によって導通が確保される。
【００３４】
ちなみに、上記従来例で説明した導電性接着材によるときの導電抵抗は１０Ω前後であったが、上記網シート４１を採用した本発明での導電抵抗は３Ω以下であった。また、上記弾性接着材として市販されているものには例えばセメダイン社製の商品名スーパーＸがある。なお、スペーサ４０として上記網シート４１に代えて波形に形成してなる平板の金属板を使用してもよい。
【００３５】
次に、図３により本発明に含まれるスペーサ４０の変形例について説明する。この変形例に係るスペーサ４０Ａも上記網シート４１と同じくフレキシブルパイプ２１の両端部２１ａ，２１ｂの２箇所に取り付けられるが、その構成は同じであってよいため、ここではその一方についてのみ説明する。
【００３６】
このスペーサ４０Ａは全体が板バネ材よりなり、フレキシブルパイプの端部２１ａ（２１ｂ）の外周に嵌合される円筒状のキャップ部４２と、キャップ部４２の端部から外側に向けて広がるように形成され口金３１（３２）の内面に弾性的に接触する接触片４３とを備えている。
【００３７】
キャップ部４２には図示しない電気ケーブルを挿通するための挿通孔４２ａが設けられている。キャップ部４２は圧入によってフレキシブルパイプ２１の端部２１ａ（２１ｂ）に取り付けられることが好ましい。接触片４３はひとつであってもよいが、好ましくはその複数個が等間隔で設けられるとよい。
【００３８】
このスペーサ４０Ａによれば、キャップ部４２をフレキシブルパイプ２１の端部２１ａ（２１ｂ）に取り付けた状態で口金３１（３２）内に差し込むことにより、接触片４３が確実に口金３１（３２）の内面に当接して導通が得られる。
【００３９】
また、接触片４３の弾性力によって図示しないテーブル側からの振動を緩衝するショックマウント効果が発揮されるが、この場合においてもゴミなどの異物が入り込まないようにするため、その連結部分に弾性接着材を充填することが好ましい。
【図面の簡単な説明】
【００４０】
【図１】本発明のマイクロホン装置が備える支柱の要部を示す分解図。
【図２】図１中に示されているスペーサのＡ−Ａ線拡大断面図。
【図３】上記スペーサの変形例を示す断面図。
【図４】従来のグースネック型マイクロホン装置の全体を示す断面図。
【符号の説明】
【００４１】
１０  マイクロホンユニット
２０Ａ  支柱
２１  フレキシブルパイプ
２２  支持パイプ
２３  回転台
３１，３２  口金
４０，４０Ａ  スペーサ
４１  網シート
４２  キャップ部
４３  接触片
【図１】
2005204114.tif 000003
【図２】
2005204114.tif 000004
【図３】
2005204114.tif 000005
【図４】
2005204114.tif 000006